(57)【特許請求の範囲】
【請求項１】
腕時計の形状になされ、一側にディバイス収容部を具備し、前記ディバイス収容部の内部に通信ポートを具備する時計モジュールと、
前記ディバイス収容部に連結又は分離され、前記ディバイス収容部に連結される時、前記通信ポートに連結され、生体情報を測定して得た生体測定データを前記通信ポートに送信する生体情報測定センサと、を含み、
前記生体情報測定センサは、前記通信ポートに連結される時、インターラプトプラグインイベントを発生して前記時計モジュルに送信し、
前記時計モジュールは、送信された前記インターラプトプラグインイベントのインターラプト回数をカウントし、前記インターラプト回数に応じて、前記生体情報測定センサで支援する通信プロトコルを自動的に認識し、認識した前記通信プロトコルに対応するように動的に通信インターフェイスを活性化して前記生体情報測定センサから前記生体測定データを受信する生体情報測定時計。
【請求項２】
前記生体情報測定センサは、前記通信ポートに連結される時、電力変化を感知して前記インターラプトプラグインイベントを発生する請求項１に記載の生体情報測定時計。
【請求項３】
前記通信インターフェイスは、互に異なる通信プロトコルを支援できるように提供され、
前記時計モジュールのプロセッサは、前記生体情報測定センサで支援する前記通信プロトコルに対応するように、前記互に異なる通信プロトコルの中で少なくとも１つを活性化することによって、前記通信インターフェイスを動的に活性化する請求項１に記載の生体情報測定時計。
【請求項４】
前記通信プロトコルは、
ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）、ＵＳＢ（Ｕｎｉｖｅｒｓａｌ  Ｓｅｒｉａｌ  Ｂｕｓ）、ＳＰＩ（Ｓｅｒｉａｌ  Ｐｅｒｉｐｈｅｒａｌ  Ｉｎｔｅｒｆａｃｅ）、Ｉ２Ｃ（Ｉｎｔｅｒ−Ｉｎｔｅｇｒａｔｅｄ  Ｃｉｒｃｕｉｔ  ｂｕｓ）、ＰＩＯ（Ｐｒｏｇｒａｍｍｅｄ  Ｉｎｐｕｔ／Ｏｕｔｐｕｔ）、ＡＤＣ（Ａｎａｌｏｇ−ｔｏ−Ｄｉｇｉｔａｌ  Ｃｏｎｖｅｒｔｅｒ）の中で少なくとも１つを含む請求項３に記載の生体情報測定時計。
【請求項５】
前記時計モジュールは、
一側に前記ディバイス収容部が設けられたハウジングと、
前記ディバイス収容部の内部に具備される前記通信ポートと、
前記ハウジング内に設置され、前記インターラプトプラグインイベントの前記インターラプト回数をカウントするインターラプトハンドラーと、
前記ハウジング内に設置され、前記インターラプト回数に応じて前記生体情報測定センサで支援する前記通信プロトコルを自動的に認識するプロセッサと、
前記ハウジング内に設置され、前記プロセッサによって前記通信プロトコルに対応するように動的に活性化され、前記生体情報測定センサから前記生体測定データを受信するように前記通信プロトコルにしたがって前記生体情報測定センサと通信を遂行する前記通信インターフェイスと、
前記ハウジング内に設置され、時間情報を測定する時間測定モジュールと、
前記ハウジングの外側面の一側に設置され、前記時間情報と前記生体測定データとの中、少なくとも１つをディスプレイするディスプレイ部と、を含む請求項１に記載の生体情報測定時計。
【請求項６】
前記時計モジュールは、メモリ部をさらに含み、
前記プロセッサは、前記時計モジュールの識別子、前記生体情報測定センサの識別子、前記生体測定データ、及び前記生体測定データの測定時間情報を含む生体測定記録データを単一データパケットで統合して前記メモリ部に格納する請求項５に記載の生体情報測定時計。
【請求項７】
前記時計モジュールは、前記単一データパケットで統合された前記生体測定記録データを外部機器に送信する通信部をさらに含む請求項６に記載の生体情報測定時計。
【請求項８】
前記時計モジュールは、予め設定された周期に前記通信部の無線通信機能を活性化又は非活性化する状態制御部をさらに含み、
前記プロセッサは、前記無線通信機能が活性化された状態で広告メッセージをブロードキャスティングの伝送し、前記広告メッセージに対応する前記外部機器からの広告メッセージの受信信号に応答して無線ネットワークを設定する請求項７に記載の生体情報測定時計。
【請求項９】
前記ハウジングには、通信モジュール連結ポートが形成され、
前記時計モジュールは、前記通信モジュール連結ポートに連結されて外部機器への無線通信を支援する通信モジュールをさらに含む請求項５に記載の生体情報測定時計。
【請求項１０】
前記時計モジュールは、
前記ディバイス収容部に設置されて前記通信ポートに接続される接続ポートと、互に異なる生体情報を測定する複数個の生体情報測定センサと連結される複数個のディバイス連結ポートを具備する拡張ポートをさらに含む請求項５に記載の生体情報測定時計。
【請求項１１】
前記プロセッサは、各々の生体情報測定センサに対応する１つ以上の通信プロトコルを認識し、
前記通信インターフェイスは、前記各々の生体情報測定センサに対応する通信プロトコルにしたがって前記各々の生体情報測定センサから前記生体測定データを受信する請求項１０に記載の生体情報測定時計。
【請求項１２】
前記時計モジュールは、
前記複数個の生体情報測定センサからの複数個のインターラプトプラグインイベントの衝突を防止するように、ディレイを設定して前記複数個のインターラプトプラグインイベントを順次的に処理するディレイ設定部をさらに含む請求項１０に記載の生体情報測定時計。
【請求項１３】
前記プロセッサは、活性化された前記通信インターフェイスを利用して前記生体情報測定センサに前記生体情報測定センサの機能を確認するための識別子の要請メッセージを伝送し、前記識別子の要請メッセージに応答して前記生体情報測定センサから受信した前記生体情報測定センサの識別子によって、対応する作業タスクを活性化する請求項５に記載の生体情報測定時計。
【請求項１４】
前記生体情報は、血糖情報、血圧情報、酸素飽和度情報、脈波情報の中で少なくとも１つを含む請求項１に記載の生体情報測定時計。
【請求項１５】
腕時計の形状になされ、一側にディバイス収容部を具備する時計モジュールを含み、
前記時計モジュールは、生体情報測定センサが前記ディバイス収容部に連結される時、前記生体情報測定センサから送信されるインターラプトプラグインイベントのインターラプト回数をカウントし、前記インターラプト回数に応じて前記生体情報測定センサで支援する通信プロトコルを自動的に認識し、認識した前記通信プロトコルに対応するように動的に通信インターフェイスを活性化して前記生体情報測定センサから生体測定データを受信する生体情報測定時計。
【請求項１６】
生体情報測定センサが時計モジュールに連結される時、前記時計モジュールが前記生体情報測定センサから伝送されるインターラプトプラグインイベントのインターラプト回数をカウントして前記生体情報測定センサで支援する通信プロトコルを自動的に認識し、前記通信プロトコルに対応するように動的に通信インターフェイスを活性化する段階と、
前記時計モジュールが活性化された前記通信インターフェイスを利用して前記生体情報測定センサから生体測定データを受信する段階と、を含む生体情報測定方法。
【請求項１７】
前記時計モジュールが、前記時計モジュールの識別子、前記生体情報測定センサの識別子、前記生体測定データ、及び前記生体測定データの測定時間情報を含む生体測定記録データを単一データパケットで統合して格納する段階と、
前記時計モジュールが、前記単一データパケットで統合された前記生体測定記録データを外部機器に送信する段階と、をさらに含む請求項１６に記載の生体情報測定方法。
【請求項１８】
前記生体測定記録データを外部機器に送信する段階は、
前記時計モジュールが、予め設定された周期に無線通信機能を活性化又は非活性化する段階と、
前記時計モジュールが、前記無線通信機能が活性化された状態で広告メッセージをブロードキャスティングの伝送する段階と、
前記時計モジュールが、前記広告メッセージに対応する前記外部機器からの広告メッセージの受信信号に応答して無線ネットワークを設定する段階と、を含む請求項１７に記載の生体情報測定方法。
【請求項１９】
前記通信インターフェイスを活性化する段階は、
複数個の生体情報測定センサからの複数個のインターラプトプラグインイベントの衝突を防止するように、ディレイを設定して前記複数個のインターラプトプラグインイベントを順次的に処理する請求項１６に記載の生体情報測定方法。
【請求項２０】
前記通信インターフェイスを活性化する段階と前記生体測定データを受信する段階との間に、
前記時計モジュールが、活性化された前記通信インターフェイスを利用して前記生体情報測定センサに前記生体情報測定センサの機能を確認するための識別子の要請メッセージを伝送する段階と、
前記時計モジュールが、前記識別子の要請メッセージに応答して前記生体情報測定センサから受信した前記生体情報測定センサの識別子によって、対応する作業タスクを活性化する段階と、をさらに含む請求項１６に記載の生体情報測定方法。
【発明の詳細な説明】
【技術分野】
【０００１】
本発明は、生体情報を測定する時計及び生体情報を測定する方法に関する。本発明は、知識経済部のソフトウェアコンピューティング産業の源泉技術開発事業の一環として遂行した研究から導出されたものである（課題管理番号：２０１２２７６５０１００、課題名：自律群集を支援するウェルビーイング形情報機器の内装ソフトウェアプラットホーム開発）。
【背景技術】
【０００２】
最近、技術の発展を通じて、人がどこに、いってもネットワーク環境に接続できるユビキタス時代が到来したことに伴い、ネットワークに連結される情報技術産業もこれに歩調を合わせて、その規模と範囲が拡大されており、高齢化社会及びシルバー産業の成長にしたがって、多くの人々が健康及び医療分野に関心を傾けながら、ユビキタス技術とヘルスケアを結合させて病院に行かなくても健康診断や疾病管理等の多様な医療サービスの提供を受けることができるようになった。例えば、糖尿患者は、病院に行かなくても自ら携帯できる血糖計を利用して血糖をチェックすることができるようになった。
【０００３】
しかし、従来の技術によれば、糖尿患者が周期的に血糖をチェックし、測定した記録を個別に手書きで記録しなければならない煩わしさが発生されるようになる。これによって、血糖等の生体情報を簡単に測定でき、外出の時、どこに、いっても患者の状態をモニターリングすることができ、緊急事態の発生の時、速やかに対処できるようにする生体情報測定装置が要求される。
【発明の概要】
【発明が解決しようとする課題】
【０００４】
本発明は、簡単で便利な造作だけで生体測定を遂行することができるようにする生体情報測定時計及び生体情報測定方法を提供することを目的とする。
【０００５】
本発明が解決しようとする他の課題は、多様な生体情報測定センサの複数のディバイスを１つの時計モジュールに連動できるように支援して生体情報測定の時、便宜性を提供することにある。
【０００６】
本発明が解決しようとする他の課題は、時計モジュールの無線送受信機能を活用して個人モバイル端末機又は病院等の外部機器に単一のデータパケットで統合された生体測定記録データ（時計ＩＤ、生体情報測定センサＩＤ、生体測定データ、測定時間）を伝送することによって、使用者個人のデータを便利に収集し、データの活用度を高め、効果的な医療サービスを提供することにある。
【０００７】
本発明が解決しようとする課題は、以上で言及された課題に制限されない。言及されない他の技術的課題は、以下の記載から本発明が属する技術分野における通常の知識を有する者であれば、明確に理解され得る。
【課題を解決するための手段】
【０００８】
本発明の一実施形態による生体情報測定時計は、腕時計の形状になされ、一側にディバイス収容部を具備し、前記ディバイス収容部の内部に通信ポートを具備する時計モジュールと、前記ディバイス収容部に連結又は分離され、前記ディバイス収容部に連結される時、前記通信ポートに連結され、生体情報を測定して得た生体測定データを前記通信ポートに送信する生体情報測定センサと、を含み、前記生体情報測定センサは、前記通信ポートに連結される時、インターラプトプラグインイベントを発生して前記時計モジュルに送信し、前記時計モジュールは、送信された前記インターラプトプラグインイベントのインターラプト回数をカウントし、前記インターラプト回数に応じて、前記生体情報測定センサで支援する通信プロトコルを自動的に認識し、認識した前記通信プロトコルに対応するように動的に通信インターフェイスを活性化して前記生体情報測定センサから前記生体測定データを受信する。
【０００９】
一実施形態として、前記生体情報測定センサは、前記通信ポートに連結される時、電力変化を感知して、前記インターラプトプラグインイベントを発生することができる。
【００１０】
一実施形態として、前記通信インターフェイスは、互に異なる通信プロトコルを支援できるように提供され、前記プロセッサは、前記生体情報測定センサで支援する前記通信プロトコルに対応するように、前記互に異なる通信プロトコルの中で少なくとも１つを活性化することによって、前記通信インターフェイスを動的に活性化することができる。
【００１１】
一実施形態として、前記通信プロトコルは、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）、ＵＳＢ（Ｕｎｉｖｅｒｓａｌ  Ｓｅｒｉａｌ  Ｂｕｓ）、ＳＰＩ（Ｓｅｒｉａｌ  Ｐｅｒｉｐｈｅｒａｌ  Ｉｎｔｅｒｆａｃｅ）、Ｉ２Ｃ（Ｉｎｔｅｒ−Ｉｎｔｅｇｒａｔｅｄ  Ｃｉｒｃｕｉｔ  ｂｕｓ）、ＰＩＯ（Ｐｒｏｇｒａｍｍｅｄ  Ｉｎｐｕｔ／Ｏｕｔｐｕｔ）、ＡＤＣ（Ａｎａｌｏｇ−ｔｏ−Ｄｉｇｉｔａｌ  Ｃｏｎｖｅｒｔｅｒ）の中、少なくとも１つを含むことができる。
【００１２】
一実施形態として、前記時計モジュールは、一側に前記ディバイス収容部が設けられたハウジングと、前記ディバイス収容部の内部に具備される前記通信ポートと、前記ハウジング内に設置され、前記インターラプトプラグインイベントの前記インターラプト回数をカウントするインターラプトハンドラーと、前記ハウジング内に設置され、前記インターラプト回数に応じて前記生体情報測定センサで支援する前記通信プロトコルを自動的に認識するプロセッサと、前記ハウジング内に設置され、前記プロセッサによって前記通信プロトコルに対応するように動的に活性化され、前記生体情報測定センサから前記生体測定データを受信するように前記通信プロトコルにしたがって前記生体情報測定センサと通信を遂行する前記通信インターフェイスと、前記ハウジング内に設置され、時間情報を測定する時間測定モジュールと、前記ハウジングの外側面の一側に設置され、前記時間情報と前記生体測定データとの中、少なくとも１つをディスプレイするディスプレイ部と、を含むことができる。
【００１３】
一実施形態として、前記時計モジュールは、前記プロセッサは、前記時計モジュールの識別子、前記生体情報測定センサの識別子、前記生体測定データ、及び前記生体測定データの測定時間情報を含む生体測定記録データを単一データパケットで統合して前記メモリ部に格納することができる。
【００１４】
一実施形態として、前記時計モジュールは、前記単一のデータパケットで統合された前記生体測定記録データを外部機器に送信する通信部をさらに含むことができる。
【００１５】
一実施形態として、前記時計モジュールは、予め設定された周期に前記通信部の無線通信機能を活性化又は非活性化する状態制御部をさらに含み、前記プロセッサは、前記無線通信機能が活性化された状態で広告メッセージをブロードキャスティングの伝送し、前記広告メッセージに対応する前記外部機器からの広告メッセージの受信信号に応答して無線ネットワークを設定することができる。
【００１６】
一実施形態として、通信モジュール連結ポートが形成され、前記時計モジュールは、前記通信モジュール連結ポートに連結されて外部機器への無線通信を支援する通信モジュールをさらに含むことができる。
【００１７】
一実施形態として、前記時計モジュールは、前記ディバイス収容部に設置されて前記通信ポートに接続される接続ポートと、互に異なる生体情報を測定する複数個の生体情報測定センサと連結される複数個のディバイス連結ポートを具備する拡張ポートをさらに含むことができる。
【００１８】
一実施形態として、前記プロセッサは、前記プロセッサは、各々の生体情報測定センサに対応する１つ以上の通信プロトコルを認識し、前記通信インターフェイスは、前記各々の生体情報測定センサに対応する通信プロトコルにしたがって前記各々の生体情報測定センサから前記生体測定データを受信することができる。
【００１９】
一実施形態として、前記時計モジュールは、前記複数個の生体情報測定センサからの複数個のインターラプトプラグインイベントの衝突を防止するように、ディレイを設定して前記複数個のインターラプトプラグインイベントを順次的に処理するディレイ設定部をさらに含むことができる。
【００２０】
一実施形態として、前記プロセッサは、活性化された前記通信インターフェイスを利用して前記生体情報測定センサに前記生体情報測定センサの機能を確認するための識別子の要請メッセージを伝送し、前記識別子の要請メッセージに応答して前記生体情報測定センサから受信した前記生体情報測定センサの識別子によって、対応する作業タスクを活性化することができる。
【００２１】
一実施形態として、前記生体情報は、血糖情報、血圧情報、酸素飽和度情報、脈波情報の中で少なくとも１つを含むことができる。
【００２２】
本発明の他の一側面によれば、腕時計の形状になされ、一側にディバイス収容部を具備する時計モジュールを含み、前記時計モジュールは、生体情報測定センサが前記ディバイス収容部に連結される時、前記生体情報測定センサから送信されるインターラプトプラグインイベントのインターラプト回数をカウントし、前記インターラプト回数に応じて前記生体情報測定センサで支援する通信プロトコルを自動的に認識し、認識した前記通信プロトコルに対応するように動的に通信インターフェイスを活性化して前記生体情報測定センサから生体測定データを受信する生体情報測定時計が提供されることができる。
【００２３】
本発明のその他の一側面によれば、生体情報測定センサが時計モジュールに連結される時、前記時計モジュールが前記生体情報測定センサから伝送されるインターラプトプラグインイベントのインターラプト回数をカウントして前記生体情報測定センサで支援する通信プロトコルを自動的に認識し、前記通信プロトコルに対応するように動的に通信インターフェイスを活性化する段階と、前記時計モジュールが活性化された前記通信インターフェイスを利用して前記生体情報測定センサから生体測定データを受信する段階と、を含む生体情報測定方法が提供されることができる。
【００２４】
一実施形態として、前記生体情報測定方法は、前記時計モジュールが、前記時計モジュールの識別子、前記生体情報測定センサの識別子、前記生体測定データ、及び前記生体測定データの測定時間情報を含む生体測定記録データを単一データパケットで統合して格納する段階と、前記時計モジュールが、前記単一データパケットで統合された前記生体測定記録データを外部機器に送信する段階と、をさらに含むことができる。
【００２５】
一実施形態として、前記生体測定記録データを外部機器に送信する段階は、前記時計モジュールが、予め設定された周期に無線通信機能を活性化又は非活性化する段階と、前記時計モジュールが、前記無線通信機能が活性化された状態で広告メッセージをブロードキャスティングの伝送する段階と、前記時計モジュールが、前記広告メッセージに対応する前記外部機器からの広告メッセージの受信信号に応答して無線ネットワークを設定する段階と、を含むことができる。
【００２６】
一実施形態として、前記通信インターフェイスを活性化する段階は、複数個の生体情報測定センサからの複数個のインターラプトプラグインイベントの衝突を防止するように、ディレイを設定して前記複数個のインターラプトプラグインイベントを順次的に処理することができる。
【００２７】
一実施形態として、前記生体情報測定方法は、前記通信インターフェイスを活性化する段階と前記生体測定データを受信する段階との間に、前記時計モジュールが、活性化された前記通信インターフェイスを利用して前記生体情報測定センサに前記生体情報測定センサの機能を確認するための識別子の要請メッセージを伝送する段階と、前記時計モジュールが、前記識別子の要請メッセージに応答して前記生体情報測定センサから受信した前記生体情報測定センサの識別子によって、対応する作業タスクを活性化する段階と、をさらに含むことができる。
【発明の効果】
【００２８】
本発明の実施形態によれば、簡単で便利な造作だけで生体測定を遂行することができ、電子機器の使用に慣れていない使用者も容易に生体測定を遂行することができる。
【００２９】
また、本発明の実施形態によれば、多様な生体情報測定センサ（血糖計、血圧計、酸素飽和度測定器、脈拍の測定器など）の複数のディバイスを１つの時計モジュールに連動できるように支援し、生体情報測定の時、便宜性が提供される。
【００３０】
また、本発明の実施形態によれば、時計モジュールの無線送受信機能を活用して個人モバイル端末機又は、病院等の外部機器に単一のデータパケットで統合された生体測定記録データ（時計ＩＤ、生体情報測定センサＩＤ、生体測定データ、測定時間を伝送することによって、使用者個人のデータを便利に収集し、データの活用度を高めて効果的な医療サービスを提供することができる。
【００３１】
本発明の効果は、上述した効果に制限されない。言及されない効果は、本明細書及び添付された図面から本発明が属する技術分野で通常の知識を有する者であれば、明確に理解され得る。
【図面の簡単な説明】
【００３２】
【図１】本発明の一実施形態による生体情報測定時計の使用状態を示す図面である。
【図２】本発明の一実施形態による生体情報測定時計を構成する時計モジュールと、生体情報測定センサを示す図面である。
【図３】本発明の一実施形態による生体情報測定時計の構成図である。
【図４】本発明の一実施形態による生体情報測定時計を構成する生体情報測定センサの構成図である。
【図５】本発明の一実施形態による生体情報測定方法を説明するための順序図である。
【図６】本発明の一実施形態による生体情報測定時計を構成する時計モジュールで格納するデータパケットを示す図面である。
【図７】本発明の一実施形態による生体情報測定時計を構成する時計モジュールから外部機器にデータを伝送する過程を示す順序図である。
【図８】本発明の他の一実施形態による生体情報測定時計の使用状態を示す図面である。
【図９】図８に図示された‘Ａ’部の拡大図である。
【図１０】本発明の他の一実施形態による生体情報測定時計の構成図である。
【図１１】外部機器が、図８に図示された実施形態による生体情報測定時計から生体測定記録データを受信してディスプレイすることを示す図面である。
【図１２】本発明の一実施形態による生体情報測定時計を構成する時計モジュールと、通信モジュールとを示す図面である。
【発明を実施するための形態】
【００３３】
本発明の他の長所及び特徴、そして、それを達成する方法は、添付される図面と共に詳細に後述される実施形態を参照すれば、明確になる。しかし、本発明は、以下で開示される実施形態に限定されることではなく、互に異なる多様な形態に具現でき、単なる本実施形態は本発明の開示が完全になるようにし、本発明が属する技術分野で通常の知識を有する者であれば、発明の範疇を完全に知らせるために提供されることであり、本発明は、請求項の範疇によって、定義されるだけである。
【００３４】
もし、定義されなかったとしても、ここで使用されるすべての用語（技術、或いは、科学用語を含む）は、この発明が属する従来技術で普遍的な技術によって、一般的に収容されることと同一の意味を有する。一般的な辞書によって、定義された用語は、関連された技術及び／或いは、本出願の本文に意味することと同一な意味を有することと解釈され得り、そしてここで明確に定義された表現ではなくても概念化されるか、或いは過度に形式的に解釈されないべきである。
【００３５】
一方、本明細書の全体で使用される‘〜部’等の用語は、少なくとも１つの機能や動作を処理する単位を意味する。例えば、ソフトウェア、ＦＰＧＡ、又は、ＡＳＩＣのようなハードウェア構成要素を意味することができる。しかし‘〜部’等がソフトウェア又は、ハードウェアに限定される意味ではない。‘〜部’は、アドレッシングできる格納媒体にあるように構成されてもよく、１つ又はそれ以上のプロセッサを再生させるよう構成されてもよい。したがって、一例として‘〜部’は、ソフトウェアの構成要素、オブジェクト指向のソフトウェアの構成要素、クラス構成要素及びタスク構成要素のような構成要素と、プロセス、関数、属性、プロシージャー、サブルーチン、プログラムコードのセグメント、ドライバ、ファームウェア、マイクロコード、回路、データ、データベース、データ構造、テーブル、アレイ、及び変数を含む。‘〜部’内で提供される機能は、より小さい数の構成要素に分離されるか、他の‘〜部’と統合される形態に提供されてもよい。
【００３６】
本明細書である構成が他の構成に‘連結’されるとの意味は、必ず二つの構成が直接的に連結されることだけではなく、その他の構成が媒介になって間接的に連結されることも含む。本明細書で公知された構成に対する一般的な内容に関する説明は、本発明の要旨を曇らないために省略された場合もある。
【００３７】
本発明の実施形態による生体情報測定時計は、生体情報測定センサ（例えば、血糖計又は、血圧計等）と連結されるか、或いは分離することができる時計モジュールを含む。時計モジュールは、腕時計の形状を有するように提供されるホストモジュールとして、１つ又は複数個の生体情報測定センサと連結される時、生体情報測定センサの通信プロトコル及び機能を自動的に確認して該当生体情報測定センサに適合な通信インターフェイスを動的に活性化し、該当生体情報測定センサの機能によって、作業タスクを活性化することによって、生体情報測定センサを動作させ、それにしたがう、生体測定データを生体情報測定センサから収集する。
【００３８】
本発明の実施形態による生体情報測定時計は、生体情報測定センサと時計モジュールとの間を連結される時、生体情報測定センサで生体情報測定センサの通信プロトコルに対応してインターラプトプラグインイベントを発生して時計モジュールに伝送し、時計モジュールでは、生体情報測定センサからのインターラプトプラグインイベントのインターラプト回数をカウントし、インターラプト回数に応じて、生体情報測定センサで支援する通信プロトコルを自動的に認識して生体情報測定センサの通信プロトコルに対応するように動的に通信インターフェイスを活性化する。
【００３９】
これによって、使用者が生体情報測定センサを時計モジュールにプラグインする動作のみで、時計モジュールが自動的に生体情報測定センサとの通信方式を設定し、生体情報測定センサの機能に適合な作業タスクを活性化するので、使用造作が簡単に行われ、使用者自ら多様な生体情報測定センサを利用して多様な生体情報を収集することに適合である。
【００４０】
本発明の実施形態による生体情報測定時計は、生体情報測定センサを通じて測定された生体測定データと、時計モジュールの識別子ＩＤ、生体情報測定センサの識別子、及び生体測定データの測定時間情報を一つのデータパケットで統合して生体測定記録資料を構築する。時計モジュールのＩＤは、使用者のＩＤと一対一に対応するので、時計モジュールのＩＤは、即ち使用者のＩＤを示していると言うことができる。単一のデータパケットで統合された生体測定記録資料は、使用者の個人モバイル端末又は病院サーバー等の外部機器に伝送され、該当外部機器を通じて使用者の生体測定データを総合的に確認することができる。
【００４１】
図１は本発明の一実施形態による生体情報測定時計の使用状態を示す図面である。図１を参照すれば、本発明の一実施形態による生体情報測定時計１０は、時計モジュール１００と、生体情報測定センサ２００とを含む。時計モジュール１００は、一般的な腕時計と類似な形態に提供される。図１に図示された実施形態で、生体情報測定センサ２００は、人体の血糖を測定する血糖計である。但し、これは例示的なものであって、生体情報測定センサ２００は、その他の生体情報、例えば、血圧、酸素飽和度又は脈波等を測定するセンサであってもよい。
【００４２】
図２は本発明の一実施形態による生体情報測定時計を構成する時計モジュールと、生体情報測定センサとを示す図面である。図１乃至図２を参照すれば、時計モジュール１００は一般的な腕時計と類似に両側に時計バンド１１２が連結されたハウジング１１０と、ハウジング１１０の全面に形成されたディスプレイ部１２０を具備する。時計モジュール１００は生体情報測定センサ２００が連結されない状態では、一般的な腕時計の基本動作と同様にディスプレイ部１２０を通じて現在の時刻を示す。
【００４３】
生体情報測定センサ２００は生体情報を測定して生体測定データを生成し、生体測定データを時計モジュール１００に伝送するように一側にコネクタ２１０が形成される。生体情報測定センサ２００のコネクタ２１０は時計モジュール１００のハウジング１１０の一側に設けられたディバイス収容部１１１に対応する形状に形成され、ディバイス収容部１１１内に挿入されるか、或いはそこから分離できるように提供される。
【００４４】
ディバイス収容部１１１の内部には、通信ポート（図３の図面符号１３０）が具備され、生体情報測定センサ２００がハウジング１１０に締結されれば、コネクタ２１０がディバイス収容部１１１内で通信ポート１３０に接続される。生体情報測定センサ２００は、時計モジュール１００と結束する時、通信ポート１３０とコネクタ２１０との連結を感知し、それによって、インターラプトプラグインイベント（ｉｎｔｅｒｒｕｐｔ  ｐｌｕｇ−ｉｎ  ｅｖｅｎｔ）を発生して時計モジュール１００に送信する。
【００４５】
時計モジュール１００は生体情報測定センサ２００からのインターラプトプラグインイベントのインターラプト回数をカウントし、インターラプト回数に応じて、生体情報測定センサー２００で支援する通信プロトコルを自動的に認識する。時計モジュール１００は認識した通信プロトコルにしたがって対応するように動的に通信インターフェイス（図３の図面符号１６０）を活性化して生体情報測定センサ２００から生体測定データを受信することができる。
【００４６】
図３は本発明の一実施形態による生体情報測定時計の構成図である。図１乃至図３を参照すれば、時計モジュール１００はハウジング１１０、ディスプレイ部１２０、通信ポート１３０、インターラプトハンドラー１４０、プロセッサ１５０、通信インターフェイス１６０、時間測定モジュール１７０、通信部１８０、状態制御部１８１、そしてメモリ部１９０を含む。ディスプレイ部１２０、通信ポート１３０、インターラプトハンドラー１４０、プロセッサ１５０、通信インターフェイス１６０、時間測定モジュール１７０、通信部１８０、状態制御部１８１、そしてメモリ部１９０はハウジング１１０内に具備される。
【００４７】
通信ポート１３０は時計モジュール１００と生体情報測定センサ２００とが連結される時、生体情報測定センサ２００のコネクタ２１０と接続され、プロセッサ１５０によって、活性化された通信インターフェイス１６０によって、設定される通信プロトコルにしたがって、時計モジュール１００と生体情報測定センサ２００との間に通信を遂行する。後述される図８、図１０に図示された実施形態でのように、拡張ポート４００を利用して時計モジュール１００に複数個の生体情報測定センサ２００ａ、２００ｂを連結する場合、通信ポート１３０は拡張ポート４００の接続ポート（図９の図面符号４１０）と連結されるが、このような場合においても、通信ポート１３０は各々の生体情報測定センサ２００ａ、２００ｂのコネクタ２１０と電気信号的に連結されてもよい。
【００４８】
図４は本発明の一実施形態による生体情報測定時計を構成する生体情報測定センサの構成図である。図１乃至図４を参照すれば、生体情報測定センサ２００は感知部２１１、センサプロセッサ２２０、インターラプトプラグインイベント発生部２３０、生体情報測定モジュール２４０、そして通信インターフェイス部２５０を含む。
【００４９】
感知部２１１は生体情報測定センサ２００のコネクタ２１０が時計モジュール１００のディバイス収容部１１１に挿入されて通信ポート１３０に連結されることによって、電力変化を感知し、電力変化が感知されれば、感知信号をセンサプロセッサ２２０に入力する。センサプロセッサ２２０は感知部２１１からの感知信号にしたがってコネクタ２１０と通信ポート１３０との間の接続を認知して制御信号を生成する。
【００５０】
センサプロセッサ２２０の制御信号にしたがって、インターラプトプラグインイベント発生部２３０は、インターラプトプラグインイベント（ｉｎｔｅｒｒｕｐｔ  ｐｌｕｇ−ｉｎ  ｅｖｅｎｔ）を発生する。この時、インターラプトプラグインイベント発生部２３０は生体情報測定センサ２００毎に設定されている通信インターフェイス部２５０の通信プロトコルに対応するインターラプト回数ほど、インターラプトプラグインイベントを発生する。
【００５１】
生体情報測定モジュール２４０は生体情報を測定して生体測定データを生成する。生体情報測定モジュール２４０は、例えば、血糖、血圧、酸素飽和度、又は脈波等の生体情報を測定することができる。通信インターフェイス部２５０は予め定まれた通信プロトコルにしたがって時計モジュール１００と通信を遂行する。
【００５２】
再び、図１乃至図３を参照すれば、インターラプトハンドラー１４０は、生体情報測定センサ２００からのインターラプトプラグインイベントのインターラプト回数をカウントする。インターラプトハンドラー１４０によって算出されたインターラプト回数情報は生体情報測定センサ２００の通信プロトコルと、機能を確認するためにプロセッサ１５０に入力される。
【００５３】
プロセッサ１５０はインターラプト回数に応じて生体情報測定センサ２００で支援する通信プロトコルを自動的に認識する。プロセッサ１５０は認識した通信プロトコルに対応するように動的に通信インターフェイス１６０を活性化する。即ち、プロセッサ１５０は生体情報測定センサ２００毎、互いに異なりに提供される通信プロトコルに対応して、通信インターフェイス１６０の通信プロトコルを動的に設定する。
【００５４】
通信インターフェイス１６０はプロセッサ１５０によって生体情報測定センサ２００の通信プロトコルに対応するように動的に活性化され、生体情報測定センサ２００から生体測定データを受信するように活性化された通信プロトコルにしたがって生体情報測定センサ２００と通信を遂行する。通信インターフェイス１６０は互に異なる通信プロトコルを支援するように提供されてもよい。
【００５５】
一実施形態において、通信インターフェイス１６０は、ＵＡＲＴ（ＵｎｉｖｅｒｓａｌＡｓｙｎｃｈｒｏｎｏｕｓ  Ｒｅｃｅｉｖｅｒ／Ｔｒａｎｓｍｉｔｔｅｒ）通信プロトコル１６１、Ｉ２Ｃ（Ｉｎｔｅｒ−Ｉｎｔｅｇｒａｔｅｄ  Ｃｉｒｃｕｉｔ  ｂｕｓ）通信プロトコル１６２、ＳＰＩ（Ｓｅｒｉａｌ  Ｐｅｒｉｐｈｅｒａｌ  Ｉｎｔｅｒｆａｃｅ）通信プロトコル１６３、ＰＩＯ（Ｐｒｏｇｒａｍｍｅｄ  Ｉｎｐｕｔ／Ｏｕｔｐｕｔ）通信プロトコル１６４、ＵＳＢ（Ｕｎｉｖｅｒｓａｌ  Ｓｅｒｉａｌ  Ｂｕｓ）通信プロトコル１６５及びＡＤＣ（Ａｎａｌｏｇ−ｔｏ−Ｄｉｇｉｔａｌ  Ｃｏｎｖｅｒｔｅｒ）通信プロトコル１６６を支援することができる。
【００５６】
プロセッサ１５０はインターラプトハンドラー１４０によって算出されたインターラプト回数に応じて、通信インターフェイス１６０で支援する互に異なる通信プロトコル１６１〜１６６の中、生体情報測定センサ２００で支援する通信プロトコルに対応する通信プロトコルを自動的に認識する。したがって、多様な生体情報測定センサ２００に対応して時計モジュール１００の通信インターフェイス１６０を動的に活性化することによって、自動的に、そして生体情報測定センサ２００の連結と共に、実時間に時計モジュール１００と生体情報測定センサ２００との間の通信ネットワークを設定することができる。
【００５７】
通信ポート１３０はプロセッサ１５０によって活性化された通信インターフェイス１６０のいずれかの１つ又は複数個の通信プロトコルにしたがって、生体情報測定センサ２００と通信を遂行して、生体情報測定センサ２００から生体測定データを受信される。時計モジュール１００は、例えば、通信インターフェイス１６０によって提供されるＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）、ＵＳＢ（Ｕｎｉｖｅｒｓａｌ  Ｓｅｒｉａｌ  Ｂｕｓ）、ＳＰＩ（Ｓｅｒｉａｌ  Ｐｅｒｉｐｈｅｒａｌ  Ｉｎｔｅｒｆａｃｅ）、Ｉ２Ｃ（Ｉｎｔｅｒ−Ｉｎｔｅｇｒａｔｅｄ  Ｃｉｒｃｕｉｔｂｕｓ）、ＰＩＯ（Ｐｒｏｇｒａｍｍｅｄ  Ｉｎｐｕｔ／Ｏｕｔｐｕｔ）又は、ＡＤＣ（Ａｎａｌｏｇ−ｔｏ−Ｄｉｇｉｔａｌ  Ｃｏｎｖｅｒｔｅｒ）等のシリアルバス（ＳｅｒｉａｌＢｕｓ）を通じて生体情報測定センサ２００と通信することができる。
【００５８】
生体情報測定センサ２００の機能を確認するために、プロセッサ１５０は活性化された通信インターフェイス１６０を利用して生体情報測定センサ２００の識別子を要請するための識別子の要請メッセージを生体情報測定センサ２００に伝送する。生体情報測定センサ２００は時計モジュール１００からの識別子の要請メッセージの応答して生体情報測定センサ２００の識別子をプロセッサ１５０に伝送する。プロセッサ１５０は生体情報測定センサ２００の識別子によって対応する作業タスクを活性化する。
【００５９】
これによって、時計モジュール１００は多様な生体情報測定センサ２００に対応して生体情報測定センサ２００にしたがう、必要な機能を遂行するように作業タスクを生成することによって、多様な生体情報測定センサ２００に対応して生体測定データを収集することができる。
【００６０】
時間測定モジュール１７０は時間情報を測定する。ディスプレイ部１２０は時間測定モジュール１７０によって測定された現在の時間又は、生体情報測定センサ２００から受信した生体測定データをディスプレイする。メモリ部１９０は時計モジュール１００の識別子ＩＤ、生体情報測定センサ２００の識別子ＩＤ、生体測定データ、及び生体測定データの測定時間情報を含む生体測定記録データを単一のデータパケット構造に統合して格納する。
【００６１】
メモリ部１９０は、例えば、ＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）等のような揮発性メモリ又は、ＲＯＭ（Ｒｅａｄ  Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｌｅｃｔｒｉｃａｌｌｙ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅａｎｄ  Ｐｒｏｇｒａｍｍａｂｌｅ  ＲＯＭ）、フラッシュメモリ装置、ＰＲＡＭ（Ｐｈａｓｅ−ｃｈａｎｇｅ  ＲＡＭ）、ＭＲＡＭ（Ｍａｇｎｅｔｉｃ  ＲＡＭ）、ＲＲＡＭ（Ｒｅｓｉｓｔｉｖｅ  ＲＡＭ）、ＦＲＡＭ（Ｆｅｒｒｏｅｌｅｃｔｒｉｃ  ＲＡＭ）等のような不揮発性メモリであってもよい。また、メモリ部１９０はフロッピーディスク、ハードディスク、又は光学的読出し媒体、例えば、ＣＤ−ＲＯＭ、ＤＶＤ等のような形態の格納媒体として提供されてもよい。
【００６２】
通信部１８０は単一のデータパケット構造に統合された生体測定記録データをスマートフォンのような使用者の個人端末機又は病院サーバー等の外部機器（図１１の図面符号３００）に送信する。通信部１８０は例えば、ＬＦ送受信機、ＲＦ送受信機、又はブルートゥース等の無線通信装置で構成されて、外部機器３００と無線ネットワークを設定してデータを送受信することができる。
【００６３】
状態制御部１８１は例えば、予め設定された周期に通信部１８０の無線通信機能を活性化又は、非活性化することができる。プロセッサ１５０は状態制御部１８１によって無線通信機能が活性化された状態で、広告メッセージ（ａｄｖｅｒｔｉｓｉｎｇ  ｍｅｓｓａｇｅ）をブロードキャスティング（ｂｒｏａｄｃａｓｔｉｎｇ）伝送することができる。外部機器３００は広告メッセージに応答して広告メッセージの受信信号を時計モジュール１００に伝送する。時計モジュール１００のプロセッサ１５０は広告メッセージの受信信号に応答して無線ネットワークを設定して生体測定記録データを単一のデータパケット単位に外部機器３００に伝送する。
【００６４】
プロセッサ１５０は無線通信機能が非活性化されるか、或いは無線通信機能が活性化されても広告メッセージに対応する広告メッセージの受信信号が外部機器から伝送されない場合、生体測定記録データをメモリ部１９０に格納しており、以後無線ネットワークが設定されれば、格納されていた時計モジュールのＩＤ、生体情報測定センサのＩＤ、生体測定データ、生体測定データの測定時間情報を統合した生体測定記録データを単一のデータパケット単位に外部機器に伝送する。
【００６５】
図５は本発明の一実施形態による生体情報測定方法を説明するための順序図である。図１乃至図５を参照すれば、生体情報測定センサ２００が時計モジュール１００に連結されることと同時に、生体情報測定センサ２００は電力変化を感知して生体情報測定センサ２００と時計モジュール１００との連結を認識し、これによって、段階Ｓ１１で生体情報測定センサ２００はハードウェア的な信号を通じてインターラプトプラグインイベント（ｉｎｔｅｒｒｕｐｔ  ｐｌｕｇ−ｉｎ  ｅｖｅｎｔ）を発生して、インターラプトプラグインイベントを時計モジュール１００に伝送する。インタラプトプラグインイベントは生体情報測定センサ２００で支援できる通信プロトコルを示す所定の回数ほど、インタラプトを発生する。
【００６６】
ステップＳ１２で時計モジュール１００のインタラプトハンドラー１４０は生体情報測定センサ２００から伝送されたインタラプトプラグインイベントから、一定の時間の間に発生するインタラプトの回数をカウントし、インタラプト回数情報を時計モジュール１００のプロセッサ１５０に入力する。段階Ｓ１３でプロセッサ１５０はインターラプトハンドラー１４０から入力されたインターラプト回数情報にしたがって、生体情報測定センサ２００で支援する通信プロトコルを自動的に認識し、認識した通信プロトコルに対応するように通信インターフェイス１６０を動的に活性化する。
【００６７】
これによって、時計モジュール１００と生体情報測定センサ２００とは、例えば、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）、ＵＳＢ（Ｕｎｉｖｅｒｓａｌ  Ｓｅｒｉａｌ  Ｂｕｓ）、ＳＰＩ（Ｓｅｒｉａｌ  Ｐｅｒｉｐｈｅｒａｌ  Ｉｎｔｅｒｆａｃｅ）、Ｉ２Ｃ（Ｉｎｔｅｒ−Ｉｎｔｅｇｒａｔｅｄ  Ｃｉｒｃｕｉｔ  ｂｕｓ）、ＰＩＯ（Ｐｒｏｇｒａｍｍｅｄ  Ｉｎｐｕｔ／Ｏｕｔｐｕｔ）又は、ＡＤＣ（Ａｎａｌｏｇ−ｔｏ−Ｄｉｇｉｔａｌ  Ｃｏｎｖｅｒｔｅｒ）等の活性化された通信プロトコルにしたがって相互間に通信を遂行することができる。
【００６８】
段階Ｓ１４で、生体情報測定センサ２００の機能を確認するために、時計モジュール１００のプロセッサ１５０は活性化された通信インターフェイスを利用して生体情報測定センサ２００の識別子ＩＤを要請する識別子の要請メッセージを生体情報測定センサ２００に伝送する。段階Ｓ１５で、生体情報測定センサ２００のセンサプロセッサ２２０は識別子の要請メッセージに応答して生体情報測定センサ２００の識別子を時計モジュール１００のプロセッサ１５０に伝送する。
【００６９】
段階Ｓ１６で、時計モジュール１００のプロセッサ１５０は生体情報測定センサ２００の識別子を通じて生体情報測定センサ２００の機能（例えば、血糖測定機能、血圧測定機能、脈波測定機能、酸素飽和度測定機能等）を確認し、該当生体情報測定センサ２００の機能に対応する作業を遂行する作業タスクを活性化する。仮に、要請したＩＤを通じて生体情報測定センサ２００の機能を確認できなかった場合、時計モジュール１００はＩＤを再要請するか、或いはディバイス認識誤謬を示すメッセージを表示する。
【００７０】
続いて、段階Ｓ１７乃至Ｓ１９で生体情報測定センサ２００で測定した生体測定データが活性化された通信プロトコルにしたがって時計モジュール１００に伝送される。時計モジュール１００の識別子（時計ＩＤ）、生体情報測定センサ２００の識別子（生体情報測定センサＩＤ）、生体情報測定センサ２００から収集された生体測定データ、生体測定データを収集した測定時間情報は、図６に示したように、単一のデータパケットで統合されてメモリ部１９０に格納される。時計ＩＤは時計モジュール１００に与えられた固有なＩＤとして、それぞれの使用者個人を区別する使用者ＩＤを示す。
【００７１】
このように、使用者ＩＤ、生体情報測定センサＩＤ、生体測定データ、測定時間情報を単一のデータパケット形式に統合して資料を構築することにより、使用者の個人情報と生体測定記録とが含まれた意味のあるデータを作ることができる。このように統合されたデータはスマートフォンのような個人の携帯電話端末機、または医療サービスのためのサーバーなどの外部の機器に伝送され、これによって、データ活用の效用性を高くすることができる。
【００７２】
図７は本発明の一実施形態による生体情報測定時計を構成する時計モジュールから外部機器にデータを伝送する過程を示す順序図である。時計モジュール１００は、予め設定された周期に無線通信機能を活性化又は非活性化する（段階Ｓ２１、Ｓ２７、Ｓ２９）。時計モジュール１００は無線通信機能が活性化されれば、広告機能を動作させて広告メッセージ（Ａｄｖｅｒｔｉｓｉｎｇ  ｍｅｓｓａｇｅ）を外部機器３００に放射（ブロードキャスト伝送）した後、広告機能の動作を終了する（段階Ｓ２２乃至Ｓ２６、Ｓ３０乃至Ｓ３２、Ｓ３５）。
【００７３】
外部機器３００、例えば、スマートフォン等のモバイル端末機で使用者によってそのアプリケーションが実行されれば、使用者のモバイル端末機を通じて周辺の信号を感知して広告メッセージをスキャニングした後、終了する（Ｓ２８、Ｓ３３、Ｓ３４）。次に、段階Ｓ３６で外部機器３００が時計モジュール１００から送られる信号を感知し、この信号のＩＤを通じて使用者を確認し、外部機器３００から時計モジュール１００に広告メッセージの受信信号を伝送するディバイス連結段階が遂行され、この過程で時計モジュール１００と外部機器３００との間に無線ネットワークが設定される。
【００７４】
時計モジュール１００は、外部機器３００と無線ネットワークが設定されれば、今まで蓄積されたデータを外部機器３００に伝送する。即ち、時計モジュール１００のプロセッサ１５０は無線通信機能が非活性化されるか、或いは無線通信機能が活性化された状態であっても、広告メッセージに対応する広告メッセージの受信信号が外部機器３００から伝送されない等、時計モジュール１００と外部機器３００との間に無線通信が設定されてない場合、ｄｅｌａｙ  ｔｏｌｅｒａｎｔ概念を活用して生体測定記録データをメモリ部１９０に格納しておいてから、外部機器３００と無線ネットワークが設定されれば、段階Ｓ３７乃至Ｓ３９に格納された生体測定データを外部機器３００に伝送する。これによって、使用者又は医療陣は外部機器３００を通じて使用者の生体測定データを確認することができる。
【００７５】
使用者は携帯が簡便な生体情報測定センサ２００を時計モジュール１００に連結する行為だけで、血糖等の生体測定データを得ることができ、また、生体測定データが使用者ＩＤ、生体情報測定センサＩＤ、測定時間情報と統合されて１つの意味あるデータに加工された後、外部機器３００に伝送され、本人又は主治医に無線通信を使用して送信されるため、医療測定データを収集するにあたり、便宜性が提供される。さらに、医療サービスの提供者は、伝送された生体測定記録データを活用して患者に適合な処方をすることができる。
【００７６】
図８は本発明の他の一実施形態による生体情報測定時計の使用状態を示す図面である。
【００７７】
図９は図８に図示された‘Ａ’部の拡大図である。図８乃至図９を参照すれば、時計モジュール１００の通信ポート１３０に拡張ポート４００を連結して複数の生体情報測定センサ２００ａ、２００ｂを使用することができる。拡張ポート４００はディバイス収容部１１１に締結されて通信ポート１３０に接続される接続ポート４１０と、互に異なる生体情報を測定する複数個の生体情報測定センサ２００ａ、２００ｂと連結される複数個のディバイス連結ポート４２１、４２２と、を具備することができる。
【００７８】
図１０は本発明の他の一実施形態による生体情報測定時計の構成図である。図８乃至図１０に図示された実施形態を説明することにおいて、図１乃至図３に図示された実施形態と同一の構成に対しては重複される説明を省略する。本明細書の図面で同一の構成になるべく同一の図面符号が使用される。図８乃至図１０を参照すれば、プロセッサ１５０は各々の生体情報測定センサ２００ａ、２００ｂに対応する１つ以上の通信プロトコルを認識する。通信インターフェイス１６０は各々の生体情報測定センサ２００ａ、２００ｂに対応する通信プロトコルにしたがって各々の生体情報測定センサ２００ａ、２００ｂから生体測定データを受信する。
【００７９】
ディレイ設定部１４１は複数個の生体情報測定センサ２００ａ、２００ｂからの複数個のインターラプトプラグインイベントの衝突を防止するように、ディレイを設定して複数個の生体情報測定センサ２００ａ、２００ｂからの複数個のインターラプトプラグインイベントを順次的に処理することができる。ディレイ設定部１４１は、複数個の生体情報測定センサ２００ａ、２００ｂからの複数個の生体測定データ間の衝突を防止するように、ディレイを設定して複数個の生体情報測定センサ２００ａ、２００ｂからの複数個の生体測定データを順次的に受信して外部機器３００に伝送するか、或いはメモリ部１９０に格納することができる。
【００８０】
図１１は外部機器が図８に図示された実施形態による生体情報測定時計から生体測定記録データを受信してディスプレイすることを示す図面である。図１１に示すように、生体情報測定時計１０を通じて蓄積されたデータは個人のスマートフォン等の外部機器３００に伝送され、使用者又は医療陣がディスプレイ画面を通じて患者の生体測定データを確認することができる。図１１は外部機器３００に酸素飽和度及び脈波がディスプレイされることを示してあるが、その他の生体情報がディスプレイされてもよい。
【００８１】
図１２は本発明の一実施形態による生体情報測定時計を構成する時計モジュールと、通信モジュールとを示す図面である。時計モジュール１００にディバイス収容部１１１を通じて生体情報測定センサ２００だけでなく、追加的に通信モジュール５００の通信コネクタ５１０を時計モジュール１００の通信モジュール連結ポート１１３に装着して生体情報測定時計に基本的に提供される無線通信方式以外に他の方式の無線通信を支援することができる。
【００８２】
時計モジュール１００は、例えば、ブルートゥース（Ｂｌｕｅｔｏｏｔｈ  Ｌｏｗ  Ｅｎｅｒｇｙ、ＩＥＥＥ８０２．１５．４ＭＡＣ）等の無線通信を利用して実時間ストリーミング方式にスマートフォンのような使用者の端末、或いは病院サーバーのモニターリング機器等の外部機器３００に伝送することができ、これによって、各使用者の生体測定情報を実時間にモニターリングすることができる。外部機器３００を通じて使用者から収集される多様な形態の生体情報を区分して、時間ごとによって、ストリーム方式に確認することができる。場合によって、特定の生体情報の必要であるデータのみを観察するか、一日、又は特定時間の間、測定されたデータを観察することができる等、データの活用性が大きくなる。
【００８３】
本発明による実施形態は使用者の年齢を考慮して生体情報測定センサ２００を時計モジュール１００に連結する行為だけで、そしてスマートフォン等のアプリケーションを実行する行為だけで、生体情報測定及びデータ伝送のためのすべての動作が遂行されるように具現することによって、使用者が便利で簡単に生体測定を遂行できるようにする長所を提供する。また、本発明による実施形態は個人のヘルスケア管理や周期的に医療データを測定する必要がある使用者に多様な生体情報測定センサ（血糖計、血圧計、酸素飽和度測定器、脈拍測定器など）のマルチディバイスを腕時計形として提供される時計モジュール１００に連動できるように支援して生体情報測定の時、便宜性を提供する。
【００８４】
このように、本発明の実施形態によれば、時計モジュール１００と生体情報測定センサ２００との連結方式と時計モジュール１００の外部との通信機能に対する操作を最少化して生体情報測定の時、簡単に使用できるので、電子機器の使用に慣れてない使用者も容易に使用が可能し、時計モジュール１００の無線送受信機能を活用して個人モバイル端末機（スマートフォン）又は、病院などの外部へ伝送して使用者個人のデータ収集を便利にし、データの活用度を高めて効果的な医療サービスを提供するのに、多いに役立つことができる。
【００８５】
以上の実施形態は、本発明の理解を助けるために提示されたものであって、本発明の範囲を制限することなく、これから多様な変形可能である実施形態も本発明の範囲に属することを理解しなければならない。本発明の技術的な保護範囲は特許請求範囲の技術的思想によって、定められるべきであり、本発明の技術的な保護範囲は特許請求範囲の文言的記載その自体に限定されることではなく、実質的には技術的価値が均等な範疇の発明に対してまで及ぶことを理解しなければならない。
【図１】
0006293864.tif 000002
【図２】
0006293864.tif 000003
【図３】
0006293864.tif 000004
【図４】
0006293864.tif 000005
【図５】
0006293864.tif 000006
【図６】
0006293864.tif 000007
【図７】
0006293864.tif 000008
【図８】
0006293864.tif 000009
【図９】
0006293864.tif 000010
【図１０】
0006293864.tif 000011
【図１１】
0006293864.tif 000012
【図１２】
0006293864.tif 000013